(57)【特許請求の範囲】
【請求項１】
底壁部と、該底壁部から立設された４側壁部と、前記４側壁部の上部側に水平方向に延出された上部フランジと、前記４側壁部の下部側に水平方向に延出された下部フランジとから、各四隅のコーナ部外面が湾曲した容器本体が形成されているとともに、
前記各四隅のコーナ部外面における前記下部フランジから湾曲面に向かって第１の斜め板が、前記各四隅のコーナ部外面における前記上部フランジから湾曲面に向かって第２の斜め板が金型の型開きと同時に形成され、かつこれら第１の斜め板の先端部と第２の斜め板の先端部との間が所定距離離間されている運搬用容器において、
前記側壁部の湾曲した各四隅のコーナ部外面に、略垂直方向のリブを所定間隔置きに設け、このリブの断面形状は先端部の形状が金型の抜け方向から逃げるように傾斜していることを特徴とする運搬用容器。
【発明の詳細な説明】
【０００１】
【発明の属する技術分野】
本発明は、運搬用容器に関し、詳しくは、容器本体の側壁部外面等にラベルを貼着し、搬送する物品に関する情報を、貼着されたラベルにより、容易に識別できるようにした運搬用容器に関する。
【０００２】
【従来の技術】
例えば、食品工場などでは、出荷する食品の管理を行うために、合成樹脂からなる運搬用容器の側面にバーコードなどが記載されたラベルを貼着し、このラベルによって、製造ライン、搬送先、個数、また種別などを識別させる場合がある。
【０００３】
このような運搬用容器では、図５に示したように、容器本体２の平坦な外面等に、複数本のリブ４を設けて、ここに貼られたラベルを使用後に剥がし易くしている。
【０００４】
【発明が解決しようとする課題】
ところで、図５に示したように、例えば、短手側の一対の側壁部に取っ手６，６が設けられている場合は、通常、この取っ手６を避けてラベルが貼られるため、取っ手６が大きいと、湾曲したコーナ部Ｒにも、ラベルの一部が貼られることになる。
【０００５】
しかしながら、コーナ部Ｒにはリブ４が設けられていないため、コーナ部Ｒにラベルが貼られてしまうと、ラベルが剥がれずに、一部残ってしまうという問題があった。
この問題を解決するには、コーナ部Ｒにシボ加工等を施すこと、あるいはリブ４を設けることなどが考えられるが、シボ加工では効果が低い。また、コーナ部Ｒは、上記のように湾曲しているため、ここにリブを設ける場合は、下記のような問題がある。
【０００６】
すなわち、図６に示したように、コーナ部Ｒに、その曲面ｒの法線方向（矢印Ｐ方向）に通常のリブ４を設けると、金型８の抜き方向Ａと、リブ４の形成方向Ｐとが異なるため、金型８を型抜きする場合に、破線で示したリブ４の一部が金型８に衝突して切除されてしまう。本発明は、このような実情に鑑み、容器本体のコーナ部にラベルが貼られた場合に、そのラベルを容易に剥がすことができる運搬用容器を提供することを目的としている。
【０００７】
また、コーナ部にリブを設けてラベルを剥がしやすくするときに、リブの一部が切除されることのない運搬用容器を提供することを目的としている。
【０００８】
【課題を解決するための手段】
上記目的を達成するための本発明は、
底壁部と、該底壁部から立設された４側壁部と、前記４側壁部の上部側に水平方向に延出された上部フランジと、前記４側壁部の下部側に水平方向に延出された下部フランジとから、各四隅のコーナ部外面が湾曲した容器本体が形成されているとともに、
前記各四隅のコーナ部外面における前記下部フランジから湾曲面に向かって第１の斜め板が、前記各四隅のコーナ部外面における前記上部フランジから湾曲面に向かって第２の斜め板が金型の型開きと同時に形成され、かつこれら第１の斜め板の先端部と第２の斜め板の先端部との間が所定距離離間されている運搬用容器において、
前記側壁部の湾曲した各四隅のコーナ部外面に、略垂直方向のリブを所定間隔置きに設け、このリブの断面形状は先端部の形状が金型の抜け方向から逃げるように傾斜している
ことを特徴としている。
【０００９】
このような構成であれば、ラベルがコーナ部に貼られても、そのラベルを容易に剥がすことができる。
【００１２】
【発明の実施の形態】
以下、図面を参照しながら本発明の実施例について説明する。
図１は本発明を説明する参考例による運搬用容器を示したものである。
この運搬用容器では、底壁部１２と該底壁部１２から立設された４側壁部１４，１６，１８，２０とから、一方面が開口した容器本体１０が形成されている。また、４側壁部１４，１６，１８，２０のうち、短手側の一対の側壁部１４，１６には、容器本体１０を手で持ち上げる取っ手２２，２２が、側壁１４，１６に沿って幅方向に形成されている。
さらに、この運搬用容器では、側壁部の下部側に下部フランジ５０が水平方向に形成され、側壁部の上部側に上部フランジ３０が水平方向に形成されている。また、隣接する２つの側壁部間の四隅のコーナ部Ｒでは、その外面に、下部フランジ５０から上方の湾曲面に向かって第１の斜め板５２が設置されるとともに、上部フランジ３０から下方の湾曲面に向かって第２の斜め板５４が設置されている。そして、これら第１の斜め板部５２と第２の斜め板部５４との間は所定距離離間されている。
【００１３】
一方、側壁部１８，２０には、通風性、洗浄性のため、さらには、内部の物品の有無を確認することのできる窓２４が横方向に形成されている。さらに、側壁部１４，１６，１８，２０の平坦面、すなわち取っ手２２，２２の両側には、縦方向に延びる複数のリブ２６が所定間隔置きに形成されている。このようなリブ２６を設けることにより、ここにラベルを貼ったときのラベルの接着力が小さくなり、ラベルを剥がし易くなっている。
【００１４】
さらに、この参考例では、あらゆる箇所にラベルを貼ることができるように、隣接する２つの側壁部間のコーナ部Ｒにも、リブ２８が設けられている。図１に示した例では、リブ２８は、所定間隔置きに略水平方向に形成されている。このような水平方向のリブ２８は、型成形上、何ら問題なく形成することができる。このように、コーナ部Ｒにもリブ２８を形成すれば、平坦面からコーナ部Ｒに跨ってラベルが貼られた場合であっても、そのラベルを容易に剥がすことができる。また、コーナ部全体にラベルが貼られた場合であっても、そのラベルを容易に剥がすことができる。
【００１５】
以上、本発明の参考例について説明したが、以下に、本発明の実施例について説明する。
本発明では、図２に示した一実施例のように、コーナ部Ｒに垂直方向のリブ３２が所定間隔置きに形成されている。
ここで、底壁部１２に対して垂直方向のリブ３２を設ける場合、図３に示したように、これを型成形する際に以下のような注意が必要になる。
【００１６】
すなわち、容器本体１０を型成形するにあたり、例えば、側壁部１８を形成するための金型８をＡ方向に引き抜く場合に、コーナ部Ｒに形成されるリブ３２が金型８に引っ掛からないようにする必要がある。コーナ部Ｒでは、４５°の角度で隣接する金型同士が当接するように配置されるので、一方の金型８を引き抜くときに、リブ３２に引っ掛からないようにするには、図３において、金型８の型抜き方向Ａより、リブ３２の傾斜角度Ｃを右側にする必要がある。
【００１７】
このように、リブ３２が図３に示した状態で、Ａより右側に傾斜していれば、金型８を引き抜く場合に、リブ３２の一部が金型８により切除されることはない。仮に、一点鎖線で示したようなリブ３２’を設けた場合は、その傾斜角度である直線Ｃ’は、直線Ａの左側になってしまい、その場合は、金型８を矢印Ａ方向に引き抜く場合に、リブ３２’の一部が金型の角部３６で切除されてしまうことになる。このように、リブ３２が金型の抜け方向Ａから逃げるように、傾斜して形成されていれば、リブ３２が変形することはない。
【００１９】
さらに、図４に示したように、コーナ部Ｒに垂直方向のリブ４６を設ければ、リブ４６が中心線Ｓを境に左右非対称に形成されているので、ラベル接合部の粘着力を適宜調整することができる。
さらに、このようにラベルの剥離性を考慮したラベル接合部は、食品や部品など様々な物品を運搬する容器に適用できるのは勿論である。
【００２０】
【発明の効果】
以上説明したように、本発明に係る運搬用容器によれば、ラベルとの接着力を弱める略垂直方向のリブがコーナ部に設けられているので、ラベルを容器本体のどこにでも貼ることができる。また、ラベルの一部がコーナ部にかかる場合であっても、そのラベルを容易に剥がすことができる。また、コーナ部に垂直方向のリブを設ける場合に、そのリブを金型の抜き方向に対して逃げるように傾斜して設けているので、コーナ部に略垂直方向のリブを形を崩さずに設けることができる。
【図面の簡単な説明】
【図１】  図１は本発明の参考例による運搬用容器の斜視図である。
【図２】  図２は本発明の一実施例による運搬用容器の側面図である。
【図３】  図３は、図２に示した一実施例による運搬用容器を金型で作成する場合のコーナ部の概略断面図である。
【図４】  図４は、略垂直方向にリブを設ける場合の拡大断面図である。
【図５】  図５は、従来の運搬用容器の斜視図である。
【図６】  図６は、従来の運搬用容器を金型で作成する場合のコーナ部の概略断面図である。
【符号の説明】
１０  容器本体
１２  底壁部
１４，１６，１８，２０  側壁部
２８，３２，４６  リブ
Ｒ  コーナ部
【図１】
0004107803.tif 000002
【図２】
0004107803.tif 000003
【図３】
0004107803.tif 000004
【図４】
0004107803.tif 000005
【図５】
0004107803.tif 000006
【図６】
0004107803.tif 000007